【手続補正書】
【提出日】令和1年10月29日(2019.10.29)
【手続補正１】
【補正対象書類名】特許請求の範囲
【補正対象項目名】全文
【補正方法】変更
【補正の内容】
【特許請求の範囲】
【請求項１】
半二重周波数分割複信（ＨＤ−ＦＤＤ）を使用するワイヤレス通信の方法であって、
ＨＤ−ＦＤＤ ＵＥにおいて、物理ダウンリンク共有チャネル（ＰＤＳＣＨ）の複数の連続するサブフレームを受信することと、
ＨＤ−ＦＤＤ ＵＥにおいて、前記ＰＤＳＣＨの前記複数の連続するサブフレームのための単一のサブフレーム内で、前記単一のサブフレーム中での送信のためにスケジュールされるいくつかのハイブリッド自動再送要求（ＨＡＲＱ）を組み合わせるのに、ＡＣＫ／ＮＡＣＫバンドリングを使用するか、またはＡＣＫ／ＮＡＣＫ多重化を使用するかを選択するために、前記単一のサブフレーム中での送信のためにスケジュールされる前記ＨＡＲＱの数を使用することと、ここにおいて、ＡＣＫ／ＮＡＣＫバンドリングは、前記単一のサブフレーム内での送信のために組み合わされるべきＨＡＲＱの前記数が第１のしきい値を下回るときに選択され、ＡＣＫ／ＮＡＣＫ多重化は、前記単一のサブフレーム内での送信のために組み合わされるべきＨＡＲＱの前記数が第２のしきい値を上回るときに選択される、
前記単一のサブフレーム内での送信のために組み合わされるＨＡＲＱの前記数が前記第１のしきい値を下回るときに前記ＡＣＫ／ＮＡＣＫバンドリングを使用し、前記単一のサブフレーム内での送信のために組み合わされるＨＡＲＱの前記数が前記第２のしきい値を上回るときに前記ＡＣＫ／ＮＡＣＫ多重化を使用して、前記単一のサブフレーム内で前記数のＨＡＲＱのための確認応答を送信することと、
を備える、方法。
【請求項２】
前記確認応答を前記送信することは、増加された数のＨＡＲＱのための確認応答を送信することを備える、請求項１に記載の方法。
【請求項３】
前記増加された数のＨＡＲＱは８よりも大きい、請求項２に記載の方法。
【請求項４】
前記ＨＡＲＱのための確認応答を送信するために使用されるべき前記ＡＣＫ／ＮＡＣＫバンドリングに関するシグナリング情報を受信すること、
をさらに備える、請求項１に記載の方法。
【請求項５】
物理アップリンク制御チャネル（ＰＵＣＣＨ）のための有効なサブフレームの別個のセットを受信すること、
をさらに備える、請求項１に記載の方法。
【請求項６】
物理アップリンク制御チャネル（ＰＵＣＣＨ）送信のためにＰＵＣＣＨ構成の定義されたセットのうちの１つを使用すること、
をさらに備える、請求項１に記載の方法。
【請求項７】
グループ確認応答を送信するための指示を受信すること、ここにおいて、前記数のＨＡＲＱのための前記確認応答は、前記グループ確認応答を送信するための前記指示を受信することに応答して送信される、
をさらに備える、請求項１に記載の方法。
【請求項８】
多重化された確認応答または否定確認応答の数に応じて、異なるＨＡＲＱ繰返し値を使用すること、
をさらに備える、請求項１に記載の方法。
【請求項９】
複数のハイブリッド自動再送要求（ＨＡＲＱ）と比べると、より少ない数の繰返しが、単一のＨＡＲＱのために使用される、請求項８に記載の方法。
【請求項１０】
ＡＣＫ多重化が可能にされるかどうかに基づいて、物理アップリンク制御チャネル（ＰＵＣＣＨ）送信のための送信時間間隔（ＴＴＩ）バンドルサイズを決定すること、
をさらに備える、請求項１に記載の方法。
【請求項１１】
利用可能な電力ヘッドルームに基づいて、ＡＣＫまたはＮＡＣＫのための繰返し値を決定すること、
をさらに備える、請求項１に記載の方法。
【請求項１２】
単一のＨＡＲＱのためのＡＣＫまたはＮＡＣＫと、複数のＨＡＲＱのための多重化されたＡＣＫまたは多重化されたＮＡＣＫの繰返しとの両方のために、サブフレームがスケジュールされ、前記単一のＨＡＲＱのために割り当てられた物理アップリンク制御チャネル（ＰＵＣＣＨ）リソースと、多重化されたＨＡＲＱのために割り当てられたＰＵＣＣＨリソースとが異なるとき、前記方法は、
前記単一のＨＡＲＱのためにＡＣＫがスケジュールされたとき、前記複数のＨＡＲＱのための前記多重化されたＡＣＫまたは多重化されたＮＡＣＫの前記繰返しのために、前記単一のＨＡＲＱに割り当てられた前記ＰＵＣＣＨリソースを使用することと、
前記単一のＨＡＲＱのためにＮＡＣＫがスケジュールされたとき、前記複数のＨＡＲＱのための前記多重化されたＡＣＫまたは多重化されたＮＡＣＫの前記繰返しのために、前記多重化されたＨＡＲＱに割り当てられた前記ＰＵＣＣＨリソースを使用することと、
をさらに備える、請求項１に記載の方法。
【請求項１３】
単一のＨＡＲＱのためのＡＣＫまたはＮＡＣＫと、複数のＨＡＲＱのための多重化されたＡＣＫまたは多重化されたＮＡＣＫの繰返しとの両方のために、サブフレームがスケジュールされ、前記単一のＨＡＲＱのための前記ＰＵＣＣＨリソースと、多重化されたＨＡＲＱのための前記ＰＵＣＣＨリソースとが同じであるとき、前記方法は、
前記単一のＨＡＲＱのための前記ＡＣＫまたはＮＡＣＫを物理アップリンク制御チャネル（ＰＵＣＣＨ）の基準信号に重畳すること、
をさらに備える、請求項１に記載の方法。
【請求項１４】
前記ワイヤレス通信が拡張マシンタイプ通信（ｅＭＴＣ）を備える、請求項１に記載の方法。
【請求項１５】
半二重周波数分割複信（ＨＤ−ＦＤＤ）を使用するワイヤレス通信のための装置であって、
メモリと、
前記メモリに結合された少なくとも１つのプロセッサと、
を備え、前記少なくとも１つのプロセッサは、
ＨＤ−ＦＤＤ ＵＥにおいて、物理ダウンリンク共有チャネル（ＰＤＳＣＨ）の複数の連続するサブフレームを受信することと、
ＨＤ−ＦＤＤ ＵＥにおいて、前記ＰＤＳＣＨの前記複数の連続するサブフレームのための単一のサブフレーム内で、前記単一のサブフレーム中での送信のためにスケジュールされるいくつかのハイブリッド自動再送要求（ＨＡＲＱ）を組み合わせるのに、ＡＣＫ／ＮＡＣＫバンドリングを使用するか、またはＡＣＫ／ＮＡＣＫ多重化を使用するかを選択するために、前記単一のサブフレーム中での送信のためにスケジュールされる前記ＨＡＲＱの数を使用することと、ここにおいて、ＡＣＫ／ＮＡＣＫバンドリングは、前記単一のサブフレーム内での送信のために組み合わされるべきＨＡＲＱの前記数が第１のしきい値を下回るときに選択され、ＡＣＫ／ＮＡＣＫ多重化は、前記単一のサブフレーム内での送信のために組み合わされるべきＨＡＲＱの前記数が第２のしきい値を上回るときに選択される、
前記単一のサブフレーム内での送信のために組み合わされるＨＡＲＱの前記数が前記第１のしきい値を下回るときに前記ＡＣＫ／ＮＡＣＫバンドリングを使用し、前記単一のサブフレーム内での送信のために組み合わされるＨＡＲＱの前記数が前記第２のしきい値を上回るときに前記ＡＣＫ／ＮＡＣＫ多重化を使用して、前記単一のサブフレーム内で前記数のＨＡＲＱのための確認応答を送信することと、
を行うように構成された、装置。
【請求項１６】
前記確認応答を前記送信することは、増加された数のＨＡＲＱのための確認応答を送信することを備える、請求項１５に記載の装置。
【請求項１７】
前記少なくとも１つのプロセッサは、
グループ確認応答を送信するための指示を受信すること、ここにおいて、前記数のＨＡＲＱのための前記確認応答は、前記グループ確認応答を送信するための前記指示を受信することに応答して送信される、
を行うようにさらに構成された、請求項１５に記載の装置。
【請求項１８】
前記少なくとも１つのプロセッサは、
多重化された確認応答または否定確認応答の数に応じて、異なるＨＡＲＱ繰返し値を使用すること、
を行うようにさらに構成された、請求項１５に記載の装置。
【請求項１９】
前記少なくとも１つのプロセッサは、
ＡＣＫ多重化が可能にされるかどうかに基づいて、物理アップリンク制御チャネル（ＰＵＣＣＨ）送信のための送信時間間隔（ＴＴＩ）バンドルサイズを決定すること、
を行うようにさらに構成された、請求項１５に記載の装置。
【請求項２０】
前記少なくとも１つのプロセッサは、
利用可能な電力ヘッドルームに基づいて、ＡＣＫまたはＮＡＣＫのための繰返し値を決定すること、
を行うようにさらに構成された、請求項１５に記載の装置。
【請求項２１】
単一のＨＡＲＱのためのＡＣＫまたはＮＡＣＫと、複数のＨＡＲＱのための多重化されたＡＣＫまたは多重化されたＮＡＣＫの繰返しとの両方のために、サブフレームがスケジュールされ、前記単一のＨＡＲＱのために割り当てられた物理アップリンク制御チャネル（ＰＵＣＣＨ）リソースと、多重化されたＨＡＲＱのために割り当てられたＰＵＣＣＨリソースとが異なるとき、前記少なくとも１つのプロセッサは、
前記単一のＨＡＲＱのためにＡＣＫがスケジュールされたとき、前記複数のＨＡＲＱのための前記多重化されたＡＣＫまたは多重化されたＮＡＣＫの前記繰返しのために、前記単一のＨＡＲＱに割り当てられた前記ＰＵＣＣＨリソースを使用することと、
前記単一のＨＡＲＱのためにＮＡＣＫがスケジュールされたとき、前記複数のＨＡＲＱのための前記多重化されたＡＣＫまたは多重化されたＮＡＣＫの前記繰返しのために、前記多重化されたＨＡＲＱに割り当てられた前記ＰＵＣＣＨリソースを使用することと、
を行うようにさらに構成された、請求項１５に記載の装置。
【請求項２２】
単一のＨＡＲＱのためのＡＣＫまたはＮＡＣＫと、複数のＨＡＲＱのための多重化されたＡＣＫまたは多重化されたＮＡＣＫの繰返しとの両方のために、サブフレームがスケジュールされ、前記単一のＨＡＲＱのための前記ＰＵＣＣＨリソースと、多重化されたＨＡＲＱのための前記ＰＵＣＣＨリソースとが同じであるとき、前記少なくとも１つのプロセッサは、
前記単一のＨＡＲＱのための前記ＡＣＫまたはＮＡＣＫを物理アップリンク制御チャネル（ＰＵＣＣＨ）の基準信号に重畳すること、
を行うようにさらに構成された、請求項１５に記載の装置。
【手続補正２】
【補正対象書類名】明細書
【補正対象項目名】０１１０
【補正方法】変更
【補正の内容】
【０１１０】
[00127]以上の説明は、当業者が本明細書で説明された様々な態様を実施できるようにするために与えられた。これらの態様への様々な変更は当業者には容易に明らかであり、本明細書で定義された一般原理は他の態様に適用され得る。したがって、特許請求の範囲は、本明細書で示された態様に限定されるものではなく、クレーム文言に矛盾しない全範囲を与えられるべきであり、ここにおいて、単数形の要素への言及は、そのように明記されていない限り、「唯一無二の」を意味するものではなく、「１つまたは複数の」を意味するものである。「例示的」という単語は、本明細書では「例、事例、または例示の働きをすること」を意味するために使用される。「例示的」として本明細書で説明されるいかなる態様も、必ずしも他の態様よりも好適または有利であると解釈されるべきであるとは限らない。別段に明記されていない限り、「いくつか（some）」という用語は１つまたは複数を指す。「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」、および「Ａ、Ｂ、Ｃ、またはそれらの任意の組合せ」などの組合せは、Ａ、Ｂ、および／またはＣの任意の組合せを含み、複数のＡ、複数のＢ、または複数のＣを含み得る。詳細には、「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」、および「Ａ、Ｂ、Ｃ、またはそれらの任意の組合せ」などの組合せは、Ａのみ、Ｂのみ、Ｃのみ、ＡおよびＢ、ＡおよびＣ、ＢおよびＣ、またはＡおよびＢおよびＣであり得、ここで、いかなるそのような組合せも、Ａ、Ｂ、またはＣのうちの１つまたは複数のメンバーを含んでいることがある。当業者に知られている、または後に知られることになる、本開示全体にわたって説明された様々な態様の要素のすべての構造的および機能的等価物は、参照により本明細書に明確に組み込まれ、特許請求の範囲に包含されるものである。その上、本明細書で開示されるいかなることも、そのような開示が特許請求の範囲に明示的に具陳されているかどうかにかかわらず、公に供するものではない。「モジュール」、「機構」、「要素」、「デバイス」などという単語は、「手段」という単語の代用でないことがある。したがって、いかなるクレーム要素も、その要素が「ための手段」という句を使用して明確に具陳されていない限り、ミーンズプラスファンクションとして解釈されるべきではない。
以下に本願の出願当初の特許請求の範囲に記載された発明を付記する。
［Ｃ１］半二重周波数分割複信（ＨＤ−ＦＤＤ）を使用するワイヤレス通信の方法であって、
物理ダウンリンク共有チャネル（ＰＤＳＣＨ）の複数の連続するサブフレームを受信することと、
ＡＣＫ／ＮＡＣＫバンドリングまたはＡＣＫ／ＮＡＣＫ多重化のうちの少なくとも１つを使用して、単一のサブフレーム内で複数のハイブリッド自動再送要求（ＨＡＲＱ）のための確認応答を送信することと、
を備える、方法。
［Ｃ２］前記確認応答を前記送信することは、増加された数のＨＡＲＱのための確認応答を送信することを備える、Ｃ１に記載の方法。
［Ｃ３］前記増加された数のＨＡＲＱは８よりも大きい、Ｃ２に記載の方法。
［Ｃ４］前記ＨＡＲＱのための前記確認応答は、
送信されるべきＨＡＲＱの数が第１のしきい値を下回るときのＡＣＫ／ＮＡＣＫバンドリングと、
送信されるべきＨＡＲＱの数が第２のしきい値を上回るときのＡＣＫ／ＮＡＣＫ多重化と、
のうちの少なくとも１つを使用して送信される、Ｃ１に記載の方法。
［Ｃ５］前記ＨＡＲＱのための確認応答を送信するために使用されるべき前記ＡＣＫ／ＮＡＣＫバンドリングに関するシグナリング情報を受信すること、
をさらに備える、Ｃ４に記載の方法。
［Ｃ６］ＡＣＫ／ＮＡＣＫバンドリングとＡＣＫ／ＮＡＣＫ多重化の両方を使用して、前記ＨＡＲＱのための確認応答を送信すること、
をさらに備える、Ｃ１に記載の方法。
［Ｃ７］物理アップリンク制御チャネル（ＰＵＣＣＨ）のための有効なサブフレームの別個のセットを受信すること、
をさらに備える、Ｃ１に記載の方法。
［Ｃ８］物理アップリンク制御チャネル（ＰＵＣＣＨ）送信のためにＰＵＣＣＨ構成の定義されたセットのうちの１つを使用すること、
をさらに備える、Ｃ１に記載の方法。
［Ｃ９］グループＡＣＫを送信するためのトリガを受信すること、
をさらに備える、Ｃ１に記載の方法。
［Ｃ１０］多重化されたＡＣＫまたはＮＡＣＫの数に応じて、異なるＨＡＲＱ繰返し値を使用すること、
をさらに備える、Ｃ１に記載の方法。
［Ｃ１１］複数のハイブリッド自動再送要求（ＨＡＲＱ）と比べると、より少ない数の繰返しが、単一のＨＡＲＱのために使用される、Ｃ１０に記載の方法。
［Ｃ１２］ＡＣＫ多重化が可能にされるかどうかに基づいて、物理アップリンク制御チャネル（ＰＵＣＣＨ）送信のための送信時間間隔（ＴＴＩ）バンドルサイズを決定すること、
をさらに備える、Ｃ１に記載の方法。
［Ｃ１３］利用可能な電力ヘッドルームに基づいて、ＡＣＫまたはＮＡＣＫのための繰返し値を決定すること、
をさらに備える、Ｃ１に記載の方法。
［Ｃ１４］単一のＨＡＲＱのためのＡＣＫまたはＮＡＣＫと、複数のＨＡＲＱのための多重化されたＡＣＫまたは多重化されたＮＡＣＫの繰返しとの両方のために、サブフレームがスケジュールされ、前記単一のＨＡＲＱのために割り当てられた物理アップリンク制御チャネル（ＰＵＣＣＨ）リソースと、多重化されたＨＡＲＱのために割り当てられたＰＵＣＣＨリソースとが異なるとき、前記方法は、
前記単一のＨＡＲＱのためにＡＣＫがスケジュールされたとき、前記複数のＨＡＲＱのための前記多重化されたＡＣＫまたは多重化されたＮＡＣＫの前記繰返しのために、前記単一のＨＡＲＱに割り当てられた前記ＰＵＣＣＨリソースを使用することと、
前記単一のＨＡＲＱのためにＮＡＣＫがスケジュールされたとき、前記複数のＨＡＲＱのための前記多重化されたＡＣＫまたは多重化されたＮＡＣＫの前記繰返しのために、前記多重化されたＨＡＲＱに割り当てられた前記ＰＵＣＣＨリソースを使用することと、
をさらに備える、Ｃ１に記載の方法。
［Ｃ１５］単一のＨＡＲＱのためのＡＣＫまたはＮＡＣＫと、複数のＨＡＲＱのための多重化されたＡＣＫまたは多重化されたＮＡＣＫの繰返しとの両方のために、サブフレームがスケジュールされ、前記単一のＨＡＲＱのための前記ＰＵＣＣＨリソースと、多重化されたＨＡＲＱのための前記ＰＵＣＣＨリソースとが同じであるとき、前記方法は、
前記単一のＨＡＲＱのための前記ＡＣＫまたはＮＡＣＫを物理アップリンク制御チャネル（ＰＵＣＣＨ）の基準信号に重畳すること、
をさらに備える、Ｃ１に記載の方法。
［Ｃ１６］前記ワイヤレス通信が拡張マシンタイプ通信（ｅＭＴＣ）を備える、Ｃ１に記載の方法。
［Ｃ１７］半二重周波数分割複信（ＨＤ−ＦＤＤ）を使用するワイヤレス通信のための装置であって、
メモリと、
前記メモリに結合された少なくとも１つのプロセッサと、
を備え、前記少なくとも１つのプロセッサは、
物理ダウンリンク共有チャネル（ＰＤＳＣＨ）の複数の連続するサブフレームを受信することと、
ＡＣＫ／ＮＡＣＫバンドリングまたはＡＣＫ／ＮＡＣＫ多重化のうちの少なくとも１つを使用して、単一のサブフレーム内で複数のハイブリッド自動再送要求（ＨＡＲＱ）のための確認応答を送信することと、
を行うように構成された、装置。
［Ｃ１８］前記確認応答を前記送信することは、増加された数のＨＡＲＱのための確認応答を送信することを備える、Ｃ１７に記載の装置。
［Ｃ１９］前記少なくとも１つのプロセッサは、
グループＡＣＫを送信するためのトリガを受信すること、
を行うようにさらに構成された、Ｃ１７に記載の装置。
［Ｃ２０］前記少なくとも１つのプロセッサは、
多重化されたＡＣＫまたはＮＡＣＫの数に応じて、異なるＨＡＲＱ繰返し値を使用すること、
を行うようにさらに構成された、Ｃ１７に記載の装置。
［Ｃ２１］前記少なくとも１つのプロセッサは、
ＡＣＫ多重化が可能にされるかどうかに基づいて、物理アップリンク制御チャネル（ＰＵＣＣＨ）送信のための送信時間間隔（ＴＴＩ）バンドルサイズを決定すること、
を行うようにさらに構成された、Ｃ１７に記載の装置。
［Ｃ２２］前記少なくとも１つのプロセッサは、
利用可能な電力ヘッドルームに基づいて、ＡＣＫまたはＮＡＣＫのための繰返し値を決定すること、
を行うようにさらに構成された、Ｃ１７に記載の装置。
［Ｃ２３］単一のＨＡＲＱのためのＡＣＫまたはＮＡＣＫと、複数のＨＡＲＱのための多重化されたＡＣＫまたは多重化されたＮＡＣＫの繰返しとの両方のために、サブフレームがスケジュールされ、前記単一のＨＡＲＱのために割り当てられた物理アップリンク制御チャネル（ＰＵＣＣＨ）リソースと、多重化されたＨＡＲＱのために割り当てられたＰＵＣＣＨリソースとが異なるとき、前記少なくとも１つのプロセッサは、
前記単一のＨＡＲＱのためにＡＣＫがスケジュールされたとき、前記複数のＨＡＲＱのための前記多重化されたＡＣＫまたは多重化されたＮＡＣＫの前記繰返しのために、前記単一のＨＡＲＱに割り当てられた前記ＰＵＣＣＨリソースを使用することと、
前記単一のＨＡＲＱのためにＮＡＣＫがスケジュールされたとき、前記複数のＨＡＲＱのための前記多重化されたＡＣＫまたは多重化されたＮＡＣＫの前記繰返しのために、前記多重化されたＨＡＲＱに割り当てられた前記ＰＵＣＣＨリソースを使用することと、
を行うようにさらに構成された、Ｃ１７に記載の装置。
［Ｃ２４］単一のＨＡＲＱのためのＡＣＫまたはＮＡＣＫと、複数のＨＡＲＱのための多重化されたＡＣＫまたは多重化されたＮＡＣＫの繰返しとの両方のために、サブフレームがスケジュールされ、前記単一のＨＡＲＱのための前記ＰＵＣＣＨリソースと、多重化されたＨＡＲＱのための前記ＰＵＣＣＨリソースとが同じであるとき、前記少なくとも１つのプロセッサは、
前記単一のＨＡＲＱのための前記ＡＣＫまたはＮＡＣＫを物理アップリンク制御チャネル（ＰＵＣＣＨ）の基準信号に重畳すること、
を行うようにさらに構成された、Ｃ１７に記載の装置。
［Ｃ２５］半二重周波数分割複信（ＨＤ−ＦＤＤ）を使用するワイヤレス通信の方法であって、
マシンタイプ通信物理ダウンリンク制御チャネル（Ｍ−ＰＤＣＣＨ）の複数の連続するサブフレームを送信することと、
自己サブフレームスケジューリングを使用してダウンリンク送信を開始することと、前記ダウンリンク送信は、前記Ｍ−ＰＤＣＣＨの前記複数の連続するサブフレームの前記送信と時間的に重複する、
を備える、方法。
［Ｃ２６］前記ダウンリンク送信を開始することは、物理ダウンリンク共有チャネル（ＰＤＳＣＨ）を備える、Ｃ２５に記載の方法。
［Ｃ２７］前記ワイヤレス通信は拡張マシンタイプ通信（ｅＭＴＣ）を備える、Ｃ２５に記載の方法。
［Ｃ２８］半二重周波数分割複信（ＨＤ−ＦＤＤ）を使用するワイヤレス通信のための装置であって、
メモリと、
前記メモリに結合された少なくとも１つのプロセッサと、
を備え、前記少なくとも１つのプロセッサは、
マシンタイプ通信物理ダウンリンク制御チャネル（Ｍ−ＰＤＣＣＨ）の複数の連続するサブフレームを送信することと、
自己サブフレームスケジューリングを使用してダウンリンク送信を開始することと、前記ダウンリンク送信は、前記Ｍ−ＰＤＣＣＨの前記複数の連続するサブフレームの前記送信と時間的に重複する、
を行うように構成された、装置。
［Ｃ２９］前記ダウンリンク送信を開始することは、物理ダウンリンク共有チャネル（ＰＤＳＣＨ）を備え、前記ワイヤレス通信は、拡張マシンタイプ通信（ｅＭＴＣ）を備える、Ｃ２８に記載の装置。